(57)【要約】【課題】原稿台の開閉動作を自動でスムースに行い、原稿台に対するガススプリングの取り付け位置に自由度を持たせる。【解決手段】原稿載置台３の片側一端に有する回転支点８を軸に回転自在に設けられた原稿押さえ部２と、原稿載置台３にその支持支点９を、原稿押さえ部２の側面部に作用点１０を有し、原稿押さえ部２の両側面に設けられる一対のガススプリングＡ４と、この原稿押さえ部２の作用点１０の同軸上に設けられた一対のガススプリングＢ５と、このガススプリングＢ５の他端に設けられる連結支持部１１により取り付けられたストッパ６と、ストッパ６の先端に取り付けられた中空のパイプ１２と、原稿載置台３の支持支点９の同軸上に支持支点９を軸に回転可能なシャフト７とを備える。【選択図】      図１
2005024788.tif 000002
【特許請求の範囲】
【請求項１】
原稿台と、該原稿載置台に設けられた開閉支点の周りに回動可能に支持された原稿台押さえ部とを備えた原稿台開閉機構において、
前記原稿台押さえ部を保持する第１及び第２の付勢手段を備えることを特徴とする原稿台開閉機構。
【請求項２】
前記第１及び第２の付勢手段は、前記原稿ダイオさえ部の開閉方向面に対して平行に、かつ並列な面上に取り付けられていることを特徴とする請求項１に記載の原稿台開閉機構。
【請求項３】
前記第１又は第２の付勢手段と前記原稿台載置台の間に、中空パイプと、該中空パイプにスライド可能に保持されるシャフトとが取り付けられていることを特徴とする請求項１又は２に記載の原稿台開閉機構。
【発明の詳細な説明】
【０００１】
【発明の属する技術分野】
本発明は、原稿台開閉機構に関し、特に、原稿読取装置等種々の装置に適用することができる原稿台開閉機構に関する。
【０００２】
【従来の技術】
従来の技術として、本発明者が先に出願した発明がある。この発明は、特開２００１−１２５２１９号公報において開示されており、原稿載置台と、開閉支点の周りに回動可能に支持された原稿台押さえ部とを備え、原稿台押さえ部が閉じるに従ってこれを開方向により大きな力で付勢する付勢手段を設けている。この付勢手段は、原稿載置台の開閉支点近傍に回動可能に支持された第１駒部材と、原稿押さえ部から開閉支点を跨いで反対方向に突出した支持部材に回動可能に支持された第２駒部材と、第１駒部材及び第２駒部材を貫通し、これらによって摺動可能に保持されたシャフトと、シャフトの第１駒部材から第２駒部材とは反対側に突出した部分に挿通されたコイルばねと、シャフトの突出部分の自由端部からコイルばねが脱落するのを防止する係止部材とで構成されている。
【０００３】
なお、従来の原稿載置台の構成を図６及び図７に示す。
【０００４】
【特許文献１】
特開２００１−１２５２１９号公報
【０００５】
【発明が解決しようとする課題】
この様な従来の原稿台開閉機構は、一対のガススプリングにより原稿台開閉動作を行っているため、ガススプリングの保持力で原稿台開閉域全域に渡り適正な原稿台保持力を得る事は難しく、開閉域以外の範囲では、ガススプリングの他に支持の役割を担う支持棒を必要としていた。しかし、原稿台を開ける時は自動的に支持棒が働く機構となっているが、原稿台を閉めるときは手動で支持棒の働きを解除する必要があり、操作性が悪いという問題があった。
【０００６】
また、原稿開閉部がどの開閉角度においても静止または落下しないように原稿台を保持するためには、選定したガススプリングのばね定数と長さにより原稿台開閉部の力点、支点、作用点が決定されてしまうため、原稿台の開閉部の動きをスム−スに行うためには、ガススプリングの取り付け位置と取り付け角度の位置関係は必然と最適な位置が決まるため、装置部品構成上で配置的な制約を受けるという問題もあった。
【０００７】
そこで、本発明はかかる問題を解決すべく、原稿台の開閉動作を自動でスムースに行い、更に原稿台に対するガススプリングの取り付け位置に自由度を持たせることを目的とする。
【０００８】
【課題を解決するための手段】
上記目的を達成するために、原稿台と、該原稿載置台に設けられた開閉支点の周りに回動可能に支持された原稿台押さえ部とを備えた原稿台開閉機構において、前記原稿台押さえ部を保持する第１及び第２の付勢手段を備えることを特徴とする。
【０００９】
この場合、前記第１及び第２の付勢手段は、前記原稿ダイオさえ部の開閉方向面に対して平行に、かつ並列な面上に取り付けられていることを特徴とする。
【００１０】
また、前記第１又は第２の付勢手段と前記原稿台載置台の間に、中空パイプと、該中空パイプにスライド可能に保持されるシャフトとが取り付けられていることを特徴とする。
【００１１】
【発明の実施の形態】
次に、本発明の第１の実施の形態について図面を参照して詳細に説明する。図１は本発明にかかる原稿台開閉機構の構成図を示しており、原稿載置台３と、原稿載置台３の片側一端に有する回転支点８を軸に回転自在に設けられた原稿押さえ部２と、原稿載置台３にその支持支点９を、原稿押さえ部２の側面部に作用点１０を有し、原稿押さえ部２の両側面に設けられる一対のガススプリングＡ４と、この原稿押さえ部２の作用点１０の同軸上に設けられた一対のガススプリングＢ５と、このガススプリングＢ５の他端に設けられる連結支持部１１により取り付けられたストッパ６と、ストッパ６の先端に取り付けられた中空のパイプ１２と、原稿載置台３の支持支点９の同軸上に支持支点９を軸に回転可能なシャフト７が配されており、このシャフト７はパイプ１２に差し込まれている。
【００１２】
なお、ガススプリングＢ５、連結支持部１１、ストッパ６、パイプ１２、シャフト７は同軸上に配置され、ガススプリングＡ４はこれらと並列な軸上に配置されており、それぞれは原稿押さえ部２を閉じた際に原稿載置台３と平行に収まる構成になっている。
【００１３】
次に、図１〜図３を参照して本発明の動作を説明する。図１は原稿押さえ部２の開閉角度が大きい場合、図２は原稿押さえ部２の開閉角度が小さい場合を示しており、図３は原稿押さえ部２とガススプリングの力関係を示している。
【００１４】
まず原稿押さえ部２を図１に示す位置まで開くと、原稿押さえ部２の重力Ｗの回転支点８周り分力であるｗ１に対する、ガススプリングＡ４の作用力Ｆの回転支点８周り分力ｆ２により、原稿押さえ部２は保持される。この状態では、シャフト７と中空パイプ１２のスライド域にあるため、ガススプリングＢ５には外力が作用しない自由長の状態となっている。
【００１５】
そして原稿押さえ部２を閉じていくと、ガススプリングＡ４の作用力Ｆの回転支点８周り分力ｆ２が次第に小さくなり、一方で原稿押さえ部２重力Ｗの回転支点８周り分力ｗ１が大きくなるため、ガススプリングＡ４による原稿押さえ部２の保持力は小さくなる。
【００１６】
ここで、ある開閉角度（図上では約２０度）になると、中空パイプ１２内をスライドするシャフト７がストッパ６に突き当たり、中空パイプ１２とシャフト７のスライドが制限される。そのため、更に原稿押さえ部２を閉じようとすると、ガススプリングＢ５が作用を開始する。従って、ガススプリングＡ４の作用力の他にガススプリングＢ５の作用力も働くため、原稿押さえ部２の落下は停止する。
【００１７】
ここで図２に示す様にガススプリングＢ５が作用している状態では、ガススプリングＡ４の取付き角度よりもガススプリングＢ５の取付き角度の方が大きい（ガススプリングが立っている）状態となり、原稿押さえ部２の落下力に対してガススプリングＢ５の作用力が有効に働くような構成となっている。なお、シャフト７の長さを変えることにより、ガススプリングＢ５の作用開始位置を調整することができ、これによりガススプリングＢ５が作用開始する原稿押さえ部２の開閉角度を調整することができる。
【００１８】
更に原稿押さえ部２を閉じると、ガススプリングＢ５は圧縮を始める。この状態（図２）以降、原稿押さえ部２はガススプリングＢ５により保持されることになる。
【００１９】
次に、本発明の第２の実施の形態について図面を参照して詳細に説明する。図４及び図５は本発明にかかる原稿台開閉機構の構成図を示している。基本的に図１と同様であるが、図１のガススプリングＡ４をオートヒンジ１４に置き換えている点が異なる。
【００２０】
動作についても、基本的に第１の実施例と同様であるが、原稿押さえ部２の開閉角度が大きい範囲ではオ−トヒンジ１４の保持力により原稿押さえ部２を保持し、開閉角度が狭くなった範囲ではオ−トヒンジ１２の保持力に対して原稿押さえ部２の回転支点８周りの落下力ｗ１が大きくなるため、この代わりにガススプリングＢ５により原稿押さえ部２を保持するようになっている。
【００２１】
なお、本実施例においては、ガススプリングＢ５の作用を開始する原稿押さえ部２の開閉角度を２０°としたが、本発明は当該角度に限定されるものではなく、仕様等により当該角度は適宜変更されるものである。
【００２２】
また、図示しないが、原稿押さえ部２をロックする原稿台ロック部と原稿押さえ部２を開く方向に付勢する付勢手段とを備えることもでき、この原稿台ロック部を解除することにより、この付勢手段により原稿押さえ部２が図２に示す位置まで自動的に開くようにすることもできる。
【００２３】
【発明の効果】
以上説明したように本発明によれば、２対（二種類）のガススプリングを用いる事により、ガススプリングの適性保持力範囲を格段に広げることができ、この２種類のガススプリングの動作範囲も自動的に入れ替えることができるため、支持棒を設けなくても、この広い適正保持力範囲において自動で原稿台を保持することが可能となった。
【００２４】
また、一対のガススプリングの開閉機構では支点、力点、作用点からおのずとガススプリングの取付け位置が決まり部品配置上で制約を受けていたが、二種類のガススプリングを使うことにより一対を部品配置関係で許容できる位置に配置し、もう一対がそれを補助する位置に配置することにより部品配置構成の自由度を増すことが可能となった。
【図面の簡単な説明】
【図１】第１の原稿台開閉機構の、開閉角度が大きい場合の構成図。
【図２】第１の原稿台開閉機構の、開閉角度が小さい場合の構成図。
【図３】原稿押さえ部２とガススプリングの力関係を示した図。
【図４】第２の原稿台開閉機構の、開閉角度が大きい場合の構成図。
【図５】第２の原稿台開閉機構の、開閉角度が小さい場合の構成図。
【図６】従来の原稿台開閉機構の、開閉角度が大きい場合の構成図。
【図７】従来の原稿台開閉機構の、開閉角度が小さい場合の構成図。
【符号の説明】
１  ダブルガススプリングユニット
２  原稿押さえ部
３  原稿載置台
４  ガススプリングＡ
５  ガススプリングＢ
６  ストッパ
７  シャフト
８  回転支点
９  支持支点
１０  作用点
１１  連結支持部
１２  パイプ
１３  ガススプリング
１４  オートヒンジ
【図１】
2005024788.tif 000003
【図２】
2005024788.tif 000004
【図３】
2005024788.tif 000005
【図４】
2005024788.tif 000006
【図５】
2005024788.tif 000007
【図６】
2005024788.tif 000008
【図７】
2005024788.tif 000009